(57)【要約】【課題】改質器の変形を抑制可能な燃料電池セルスタック装置を提供する。【解決手段】マニホールド３上に、複数個の柱状の燃料電池セル２を立設させた状態で配列してなる燃料電池セルスタック４を配置し、燃料電池セル２の上方に、燃料電池セル２に供給する燃料ガスを生成するための改質器５を配置するとともに、生成された燃料ガスをマニホールド３に供給するために、改質器５とマニホールド３とを接続する燃料ガス供給管６とを備え、燃料電池セル２での未反応ガスを燃料電池セル２の上端部で燃焼させることにより生じる燃焼熱により改質器５を加熱するように構成してなる燃料電池セルスタック装置１であって、改質器５が熱膨張により上下方向に変形することを抑制すべく、一端が改質器５に固定され、他端がマニホールド３側に延び、かつマニホールド３に固定されない改質器変形抑制部材８を有することから、改質器５の上下方向の変形を抑制することができる。【選択図】図１
2009087540.tif 000002
【特許請求の範囲】
【請求項１】
複数個の柱状の燃料電池セルを立設させた状態で配列して電気的に接続するとともに、前記燃料電池セルの下端を、前記燃料電池セルに燃料ガスを供給するためのマニホールドに接合材で固定してなる燃料電池セルスタックと、前記燃料電池セルの上方に配置され、前記燃料電池セルに供給する燃料ガスを生成するための改質器と、該改質器により生成された燃料ガスを前記マニホールドに供給するために、前記改質器と前記マニホールドとを接続する燃料ガス供給管とを備え、前記燃料電池セルでの未反応の燃料ガスを前記燃料電池セルの上端部で燃焼させることにより生じる燃焼熱により前記改質器を加熱するように構成してなる燃料電池セルスタック装置であって、前記改質器が熱膨張により上下方向に変形することを抑制すべく、一端が前記改質器に固定され、他端が前記マニホールド側に延び、かつ前記マニホールドに固定されない改質器変形抑制部材を有することを特徴とする燃料電池セルスタック装置。
【請求項２】
前記改質器変形抑制部材が、前記改質器の加熱前から前記マニホールドに当接していることを特徴とする請求項１に記載の燃料電池セルスタック装置。
【請求項３】
前記燃料電池セルスタックが２つ並置され、該燃料電池セルスタックの上方に配置される前記改質器が折り返し部を有して平面視でコの字状であるとともに、前記折り返し部から前記燃料電池セルの配列方向に沿って突出した突出部を有し、該突出部に前記改質器変形抑制部材の一端が固定されていることを特徴とする請求項１または請求項２に記載の燃料電池セルスタック装置。
【請求項４】
前記マニホールドまたは前記改質器変形抑制部材に、該改質器変形抑制部材の他端部側が当接もしくは係合して、前記改質器が前記燃料電池セルの幅方向にずれることを防止するためのストッパー部材が設けられていることを特徴とする請求項１〜請求項３のうちいずれかに記載の燃料電池セルスタック装置。
【請求項５】
請求項１〜請求項４のうちいずれかに記載の燃料電池セルスタック装置を収納容器内に収納してなることを特徴とする燃料電池。
【発明の詳細な説明】
【技術分野】
【０００１】
本発明は、複数個の柱状の燃料電池セルを立設させた状態で一列に配列して電気的に接続してなる燃料電池セルスタックの上方に、燃料電池セルに燃料ガスを供給するための改質器を具備する燃料電池セルスタック装置および燃料電池に関する。
【背景技術】
【０００２】
近年、次世代エネルギーとして、燃料ガス（水素ガス）と酸素含有ガス（通常、空気である）とを用いて電力を得ることができる燃料電池セルの複数個を配列してなる燃料電池セルスタックと、燃料電池セルスタックの上方に配置され、燃料電池セルに燃料ガスを供給するための改質器とを収納容器に収納してなる燃料電池が提案されている（例えば、特許文献１参照。）。
【０００３】
図４は、従来の燃料電池２０を示したものであり、収納容器２７の前後面を取り外し、収納容器２７から燃料電池セルスタック装置２１を後ろ側に引き抜いた形態を示している。このような燃料電池セルスタック装置は、複数個の柱状（中空平板状）燃料電池セル２２を立設させた状態で配列して、隣接する燃料電池セル２２の間に集電部材（図示せず）を介装して電気的に接続し、燃料電池セル２２の下端をマニホールド２３上に接合材にて固定するとともに、燃料電池セル２２の上方に改質器２５が配置されている。
【０００４】
また、改質器２５とマニホールド２３とは、燃料ガス供給管２６にて接続されており、改質器２５で改質され生成された燃料ガスは、燃料ガス供給管２６を流通してマニホールド２３に供給され、マニホールド２３を介して燃料電池セル２２に燃料ガスが供給される。
【０００５】
また、燃料電池セル２２にて未反応のガスを、燃料電池セル２２の上端部で燃焼させることにより、改質器２５を加熱し、改質器内の温度を改質反応が活性化される温度にまで上昇させるようになっている。
【０００６】
また、改質器２５を燃料電池セル２２上に配置するために、改質器２５の側面の燃料電池セル２２の配列方向における端部側に、改質器２５をマニホールド２３に固定する燃料電池セルスタック装置２１があった。
【特許文献１】特開２００７−５９３７７号公報
【発明の開示】
【発明が解決しようとする課題】
【０００７】
ところで、上述したような燃料電池セルスタック装置においては、燃料電池セルの反応熱や燃料電池セル上端部で未反応ガスを燃料させることにより生じる燃焼熱により改質器が加熱されることにより熱膨張（体積膨張）する。
【０００８】
ここで、改質器の側面の燃料電池セルの配列方向における端部側を固定部材を介してマニホールドに固定している場合には、改質器の各方向における熱膨張（特には燃料電池セルの配列方向に沿った方向の熱膨張）が押さえつけられる（抑制される）ことにより、改質器の中央部が上方向に反るような変形を生じる場合がある。それにより、燃料電池セルの発電により生じる燃焼熱が均一に伝熱されず、改質器に温度むらが生じ、改質反応が悪化するという問題があった。
【０００９】
また、固定部材を介してマニホールドに応力がかかり、燃料電池セルとマニホールドとを接合する接合材が破損するといったおそれがあった。
【００１０】
それゆえ、本発明は、改質器の変形（特には上方向の変形）を抑制するとともに、燃料電池セルとマニホールドとを接合する接合材の破損を抑制することが可能な燃料電池セルスタック装置および燃料電池を提供することを目的とする。
【課題を解決するための手段】
【００１１】
本発明の燃料電池セルスタック装置は、複数個の柱状の燃料電池セルを立設させた状態で配列して電気的に接続するとともに、前記燃料電池セルの下端を、前記燃料電池セルに燃料ガスを供給するためのマニホールドに接合材で固定してなる燃料電池セルスタックと、前記燃料電池セルの上方に配置され、前記燃料電池セルに供給する燃料ガスを生成するための改質器と、該改質器により生成された燃料ガスを前記マニホールドに供給するために、前記改質器と前記マニホールドとを接続する燃料ガス供給管とを備え、前記燃料電池セルでの未反応の燃料ガスを前記燃料電池セルの上端部で燃焼させることにより生じる燃焼熱により前記改質器を加熱するように構成してなる燃料電池セルスタック装置であって、前記改質器が熱膨張により上下方向に変形することを抑制すべく、一端が前記改質器に固定され、他端が前記マニホールド側に延び、かつ前記マニホールドに固定されない改質器変形抑制部材を有することを特徴とする。
【００１２】
このような燃料電池セルスタック装置においては、燃料電池セルスタックの上方に配置され、燃料電池セルの上端部で燃料電池セルでの未反応のガスを燃焼させることにより生じる燃焼熱により加熱するように構成されている改質器と、改質器にて生成された燃料ガスを燃料電池セルに供給するためのマニホールドとが、改質器からマニホールドに燃料ガスを供給するための燃料ガス供給管により接続されるとともに、さらに一端が改質器に固定され、他端がマニホールド側に延び、かつマニホールドに固定されない改質器の熱膨張による変形を抑制するための改質器変形抑制部材を有することから、改質器が熱膨張を起こしても燃料電池セルの配列方向に延びることができ、改質器が上下方向に変形することを抑制することができる。
【００１３】
それにより、改質器が上下方向に変形することを抑制できることから、燃料電池セルの燃焼により生じる燃焼熱が改質器に均一に伝熱され、改質反応が悪化することを抑制することができる。
【００１４】
また、改質器に改質器変形抑制部材が固定されていることから、例えば、改質器がある一定以上に傾斜するような変形を抑制することもできる。
【００１５】
また、改質器変形抑制部材の他端がマニホールドに固定されていないことから、マニホールドに応力がかかり、燃料電池セルとマニホールドとを固定するための接合材が破損することも抑制できる。
【００１６】
また、本発明の燃料電池セルスタック装置は、前記改質器変形抑制部材が、前記改質器の加熱前から前記マニホールドに当接していることが好ましい。
【００１７】
このような燃料電池セルスタック装置においては、改質器変形抑制部材が改質器を加熱する前からマニホールドに当接していることから、特に改質器が変形して傾斜することを抑制することができる。なおこの場合において、改質器変形抑制部材はマニホールドに固定されていないことから、改質器が燃料電池セルの配列方向に延びることができ、改質器が上方向に変形することを抑制することができる。
【００１８】
また、本発明の燃料電池セルスタック装置は、前記燃料電池セルスタックが２つ並置され、該燃料電池セルスタックの上方に配置される前記改質器が折り返し部を有して平面視でコの字状であるとともに、前記折り返し部から前記燃料電池セルの配列方向に沿って突出した突出部を有し、前記突出部に前記改質器変形抑制部材の一端が固定されていることが好ましい。
【００１９】
ここで、２つの燃料電池セルスタック装置を並置し、その上方に改質器を配置する燃料電池セルスタックにおいて、改質器が折り返し部を有して平面視でコの字状であるとともに、折り返し部から燃料電池セルの配列方向に沿って突出した突出部を有し、その突出部に改質器変形抑制部材の一端が固定されることから、燃料電池セルスタックを２つ並置した場合に、改質器が変形して傾斜することを効率よく抑制することができる。
【００２０】
また、本発明の燃料電池セルスタック装置は、前記マニホールドまたは前記改質器変形抑制部材に、該改質器変形抑制部材の他端部側が当接もしくは係合して、前記改質器が前記燃料電池セルの幅方向にずれることを防止するためのストッパー部材が設けられていることが好ましい。
【００２１】
このような燃料電池セルスタック装置においては、マニホールドまたは改質器変形抑制部材に、改質器変形抑制部材の他端部側が当接または係合して、改質器が燃料電池セルの幅方向にずれることを防止するためのストッパー部材が設けられていることから、改質器が燃料電池セルの幅方向にずれることを抑制できる。
【００２２】
それにより、燃料電池セルの上端部での燃焼熱を均一に改質器に伝熱することができることから、改質器を効率よく均一に加熱することができる。
【００２３】
本発明の燃料電池は、上記のうちいずれかに記載の燃料電池セルスタック装置を収納容器内に収納してなることを特徴とする。
【００２４】
このような燃料電池においては、収納容器内に上記したいずれかの燃料電池セルスタック装置を収納してなることから、改質器の変形を抑制することができ、信頼性が向上した燃料電池とすることができる。
【発明の効果】
【００２５】
本発明の燃料電池セルスタック装置は、複数個の柱状の燃料電池セルを立設させた状態で配列してマニホールドに固定するとともに、燃料電池セルの上方に配置され、燃料電池セルに供給する燃料ガスを生成するための改質器と、改質器により生成された燃料ガスをマニホールドに供給するための燃料ガス供給管とを備え、改質器が、燃料電池セルでの未反応の燃料ガスを燃料電池セルの上端部で燃焼させることにより生じる燃焼熱により加熱するように構成されるとともに、改質器が熱膨張により上下方向に変形することを抑制すべく、一端が改質器に固定され、他端がマニホールド側に延び、かつマニホールドに固定されない改質器変形抑制部材を有することから、改質器が上下方向に変形することを抑制することができ、また燃料電池セルとマニホールドとを接合する接合材の破損を抑制することができる。
【発明を実施するための最良の形態】
【００２６】
図１は、本発明の燃料電池セルスタック装置１の一例を示したものであり、複数個の柱状の燃料電池セル２を立設させた状態で配列し、隣接する燃料電池セル２間に集電部材（図示せず）を介して電気的に接続するとともに、燃料電池セル２の下端をガラスシール材等の絶縁性接合材（図示せず）でマニホールド３に固定して燃料電池セルスタック４が構成されている。なお、図１においては、燃料電池セルスタック４を２つ並置した例を示しており、各燃料電池セルスタック４の端部（燃料電池セル２の配列方向における端部）に電流引き出し部１０が設けられている。なお、以下の図面において、同一の構成については同一の番号を付与するものとする。
【００２７】
さらに、燃料電池セル２の上方には、燃料電池セル２に供給する燃料ガスを生成するための改質器５が配置されており、改質器５とマニホールド３とが燃料ガス供給管６にて接続されている。なお、燃料ガス供給管６は、改質器５とマニホールド３とを固定する役割も果たしている。
【００２８】
なお、本発明において燃料電池セル２としては、各種燃料電池セルが知られているが、発電効率のよい燃料電池セルとする上で、固体酸化物形燃料電池セルとすることができる。それにより、単位電力に対して燃料電池を小型化することができるとともに、家庭用燃料電池で求められる変動する負荷に追従する負荷追従運転を行なうことができる。
【００２９】
また、燃料電池セル２の形状は、柱状であれば良く、例えば、中空平板状のほか、円筒状であってもよい。以下の説明においては、中空平板状の燃料電池セル２を用いて説明する。
【００３０】
ここで、改質器５の内部には、未改質ガス（原燃料）を改質するための改質触媒を充填する改質部を設けるとともに、未改質ガスを改質する方法として水蒸気改質を採用する場合に、水を気化するための気化部を設けることもできる。特に、改質器５を燃料電池セル２の上方に配置する場合には、改質器５に気化部と改質部とを設けることにより、より効率的に改質反応を行なうことができる改質器５とすることができる。
【００３１】
このような燃料電池セルスタック装置１では、改質器５にて改質された燃料ガスがマニホールド３を介して燃料電池セル２に供給され、燃料電池セル２の外部より供給される酸素含有ガスと反応することにより、燃料電池セル２の発電が行なわれる。
【００３２】
ここで、燃料電池セル２の上端部で、燃料電池セル２で使用されなかった未反応の燃料ガスや、燃料電池の起動時に改質器５で改質されなかった未改質ガス（本明細書においては、未反応の燃料ガスと未改質ガスをあわせて未反応ガスと呼ぶ）を燃焼させることにより生じる燃焼熱により改質器５を加熱することができる。それにより、効率的に改質器５の温度を上昇させることができ、改質器５での改質反応を効率的に行なうことができる。
【００３３】
それゆえ、本発明の燃料電池セルスタック装置１においては、燃料電池セル２の幅方向と配列方向に沿った大きさの改質器５が配置されている。言い換えると平面視において、燃料電池セル４の幅と同一もしくはそれ以上の幅を有し、さらに燃料電池セル４の配列方向の長さと同一もしくはそれ以上の長さを有する形状の改質器５が配置されている。なお図１においては、改質器５が折り返し部７により一体的に形成され、平面視でコの字状となっている。
【００３４】
ここで、改質器５は耐熱性を有する部材で作製することが好ましく、例えばステンレス等の金属等で作製することができる。
【００３５】
しかしながら、ステンレス等の金属で作製された改質器５においては、燃料電池セル２の上端部で未反応ガスを燃焼させることにより生じる燃焼熱が伝熱することにより、改質器５が上下方向や、燃料電池セル２の配列方向に沿って、熱膨張（体積膨張）する場合がある。
【００３６】
ここで、改質器５が熱膨張した際に、燃料電池セル２と改質器５との位置がずれないように、燃料ガス供給管６以外に、改質器５をマニホールド３に固定部材等により複数箇所で固定することが考えられるが、その場合においては、改質器５の各方向における熱膨張（特には燃料電池セル２の配列方向に沿った方向の熱膨張）が押さえつけられることにより、改質器５が上下方向に反る（特には上方向に反る）変形を生じる場合がある。
【００３７】
この場合、燃料電池セル２の上端部での未反応ガスの燃焼に伴う燃焼熱により改質器５が均等に加熱されず、改質器５に温度むらが生じ、改質器５での改質反応が悪化するおそれや、改質器５に充填されている改質触媒（図示せず）と改質器５の内枠との間に隙間を生じ、未改質ガスがその隙間を流れることで、改質触媒で改質されないまま燃料電池セル２に供給され、燃料電池セル２が破損するおそれがある。
【００３８】
さらには、固定部材を介して改質器５と接続しているマニホールド３にも応力が働き、マニホールド３が変形するおそれや、燃料電池セル２とマニホールド３とを固定している接合材が破損するおそれがある。
【００３９】
それゆえ、本発明の燃料電池セルスタック装置１においては、改質器５が熱膨張により上下方向に変形することを抑制すべく、一端が改質器５に固定され、他端がマニホールド３側に延び、かつマニホールド３に固定されない改質器変形抑制部材８を設けることを特徴とする。なお、図１においては改質器変形抑制部材８を改質器５の側面（燃料電池セル２の側面）に位置するように設けた例を示しているが、燃料電池セルスタック４の端部側（燃料電池セル２の正面側）に配置してもよい。また、改質器変形抑制部材８はステンレス等の金属のほか、セラミックス等の絶縁性部材等にて形成することができ、例えば板状や柱状の形状とすることができる。
【００４０】
そして、改質器変形抑制部材８の他端がマニホールド３に固定されていないことから、改質器５の変形にあわせて改質器変形抑制部材８が動くことができる。それにより、改質器５は燃料電池セル２の配列方向に延びる（熱膨張する）ことができ、改質器５が上下方向（特には上方向）に変形することを抑制できる。
【００４１】
なお、改質器変形抑制部材８は、他端がマニホールド３側に延びる形状であるとともに、マニホールド３とわずかな隙間を有する程度の長さとすることができる。それにより、改質器５が変形して傾斜する場合に、改質器変形抑制部材８の下端部がマニホールド３に当接され、改質器５がそれ以上傾斜する変形（下方向に変形）を抑制できる。
【００４２】
それにより、マニホールド３の変形や接合材の破損を抑制することができる。あわせて改質器５が上下方向に変形することを抑制できることから、改質器５に温度むら（所望の温度分布ではない）が生じることを抑制でき、さらには改質触媒と改質器５の内枠との間に隙間を生じることも抑制でき、改質反応の悪化や、燃料電池セル２に未改質の燃料ガスが供給されることを抑制でき、燃料電池セル２の破損を抑制することもできる。
【００４３】
なお、図１においてはこのような改質器変形抑制部材８を１つ配置した例を示しているが、例えば複数個の改質器変形抑制部材８を配置してもよい。特には、改質器５の端部側近傍に、改質器変形抑制部材８をそれぞれ設けることが好ましい。
【００４４】
ところで、改質器変形抑制部材８はその他端がマニホールド３に固定されていないものの、その長さが短い場合には、改質器５が傾斜する変形をあまり抑制できない場合がある。それゆえ、改質器変形抑制部材８の他端が、改質器５を加熱する前からマニホールド３に当接していることが好ましい。それにより、改質器変形抑制部材８が改質器５を支持することとなり、改質器５が加熱されることにより熱膨張して傾斜する変形を効果的に抑制（防止）することができる。
【００４５】
ここで、図１に示す改質器変形抑制部材８においては、改質器変形抑制部材８の他端側が電流引き出し部１０側に折れ曲がった形状で、マニホールド３と当接するための当接部９が設けられている。なお、図１においては、当接部９を改質器変形抑制部材８の他端側を内側（図１においては、電流引き出し部１０側）に折り曲げた形状を示しているが、外側に折り曲げた形状とすることもでき、また当接部９の大きさは、マニホールド３等の大きさに合わせて、適宜設定することができる。
【００４６】
またこの場合に、改質器変形抑制部材８の他端はマニホールド３に固定されていないことから、改質器５の変形にあわせて改質器変形抑制部材８が動くことができる。それゆえ、改質器５が燃料電池セル２の配列方向に延びることができ、改質器５が上下方向に変形することが抑制できる。
【００４７】
なお改質器変形抑制部材８は、改質器５が傾斜する変形を効果的に抑制するため、板状もしくは柱状の形状とすることが好ましく、改質器５の重量を支えることができる厚みや大きさとすることが好ましい。
【００４８】
また、改質器変形抑制部材８の一端を改質器５の側面に固定する場合において、改質器変形抑制部材８が燃料電池セル２や、燃料電池セル２をマニホールド３に固定するための接合材に接触することを防ぐ目的で、改質器変形抑制部材８の一端もしくは改質器５の側面に、改質器５−改質器変形抑制部材８固定用部材を設けることもでき、図１においては板状の改質器変形抑制部材８の一端を、固定用部材を介して改質器５に固定している状態を示している。なお、改質器変形抑制部材８の一端を改質器５に固定するにあたっては、螺子や溶接等により固定することができる。
【００４９】
図２は、本発明の燃料電池セルスタック装置の他の実施形態を示したものであり、図１で示した燃料電池セルスタック装置１と同様に、燃料電池セルスタック４を２つ並置した例を示している。なお、図２においてはマニホールド３を一部強調して示しており、燃料電池セル２の配列方向に沿って長くした形状で示している。なお、以降の図において、改質器変形抑制部材８の他端部側が、マニホールド３に当接している場合を示している。
【００５０】
ここで、図２における改質器５は、折り返し部７を有して平面視でコの字状であるとともに、折り返し部７から燃料電池セル２の配列方向に沿って突出した突出部１２を有しており、突出部１２に改質器変形抑制部材８の一端が固定されている。なお、突出部１２に改質器変形抑制部材８の一端を固定するにあたっては、螺子や溶接等により固定することができる。
【００５１】
ここで、突出部１２を折り返し部７の両端部からそれぞれ燃料電池セル２の配列方向に沿って設けることにより、それぞれの突出部１２に、他端部側（下端部側）がマニホールド３に当接した改質器変形抑制部材８を設ける（固定する）ことができる。それにより、改質器５は、２つの改質器変形抑制部材８と燃料ガス供給管６により支持されることとなり、平面視でコの字状の改質器５を配置する場合であっても、改質器５を安定して支持することができる。またあわせて、改質器５が変形して傾斜することを効率よく抑制することができる。
【００５２】
図３は、本発明の燃料電池セルスタック装置のさらに他の実施形態を示したものでありマニホールド３に、改質器変形抑制部材８の他端部側（下端部側）が当接して、改質器５が燃料電池セル２の幅方向にずれることを防止するためのストッパー部材１４を設けた例を示している。
【００５３】
ここで、上述したような燃料電池セルスタック１０においては、改質器変形抑制部材８の他端（下端）がマニホールド３に固定されていないため、改質器５の変形に伴い、燃料ガス供給管６を中心として、燃料電池セル２の幅方向にずれる、すなわち燃料ガス供給管６を中心として時計回りの方向、もしくは反時計回りの方向に動く可能性がある。
【００５４】
この場合、燃料電池セル２と改質器５の位置がずれることから、燃料電池セル２の上端部での未反応ガスの燃焼により生じる燃焼熱が、改質器５に均一に伝熱することができず、改質器５における改質反応が悪化するおそれがある。
【００５５】
それゆえ、図３に示した燃料電池セルスタック装置１３においては、マニホールド３に、改質器変形抑制部材８の他端部側（下端部側）が当接して、改質器５が燃料電池セル２の幅方向にずれることを防止するための板状のストッパー部材１４を設けている。
【００５６】
それにより、改質器変形抑制部材８の下端部がストッパー部材１４により押さえられることにより、改質器５が燃料電池セル２の幅方向にずれる変形を防止（抑制）することができる。
【００５７】
また、改質器変形抑制部材８がステンレス等の導電性の部材より構成されている場合には、ストッパー部材１４により改質器変形抑制部材８が燃料電池セル２の幅方向に動くことを防止することができることから、改質器変形抑制部材８と電流引き出し部１０とが接触してショートするといったことも防止できる。
【００５８】
ここで、図３においては、ストッパー部材１４を改質器変形抑制部材８の外側（マニホールド３の側面側）に配置した例を示しているが、改質器変形抑制部材８の内側（図３においては、電流引き出し部１０側）に設けることもでき、また改質器変形抑制部材８の内側と外側の両方に設けることもできる。
【００５９】
なお、ストッパー部材１４は、改質器５が燃料電池セル２の配列方向に延びた上で燃料電池セル２の幅方向にずれることを想定した大きさとすることが好ましい。それゆえ、ストッパー部材１４は、マニホールド３の端部側に長い形状とすることが好ましい。
【００６０】
また図３においては、改質器変形抑制部材８の一端を突出部１２の内面側（図３においては、電流引き出し部１０側）に固定した例を示しているが、改質器変形抑制部材８の一端を突出部１２の外面側に固定することもできる。
【００６１】
また、改質器変形抑制部材８の他端部側をマニホールド３の側面と係合できる形状とし、改質器変形抑制部材８とマニホールド３の側面とが係合することにより、改質器５が燃料電池セル２の幅方向にずれることを抑制することもできる。具体的には、改質器変形抑制部材８の他端部側の一部を、マニホールド３の側面と係合できるよう削り取った形状等があげられ、本発明においては、このような形状もストッパー部材１４と呼ぶものとする。
【００６２】
それにより、改質器５が燃料電池セル２の幅方向にずれる変形を防止できるとともに、改質器変形抑制部材８が導電性の部材より構成されている場合には、改質器変形抑制部材８と電流引き出し部１０とが接触してショートするといったことも防止できる。
【００６３】
そして、上述したような燃料電池セルスタック装置を、図４に示した収納容器２７内に収納することにより、本発明の燃料電池とすることができる。
【００６４】
ここで、収納容器としては、内壁と外壁とを有する二重構造で内壁と外壁との間を反応ガスの流路とするとともに、内壁には、燃料電池セルスタックの配列方向における幅に対応し、反応ガスの流路に連通して燃料電池セルスタックの配列方向に沿った側面側より燃料電池セルスタックに前記反応ガスを導入するための反応ガス導入部材を備える収納容器等を用いることができる。
【００６５】
そして、本発明の燃料電池は、収納容器内に上述したような燃料電池セルスタック装置を収納してなることから、改質器５の変形を抑制することができ、燃料電池セル２とマニホールド３とを接合する接合材の破損を抑制することができ、長期信頼性が向上した燃料電池とすることができる。
【図面の簡単な説明】
【００６６】
【図１】本発明の燃料電池セルスタック装置の一例を示し、改質器変形抑制部材の一端が改質器に固定され、改質器変形抑制部材の他端がマニホールドに固定されていないことを示す斜視図である。
【図２】本発明の燃料電池セルスタック装置の他の実施形態を示し、改質器変形抑制部材の一端が折り返し部から突出した突出部に固定されていることを示す斜視図である。
【図３】本発明の燃料電池セルスタック装置のさらに他の実施形態を示し、マニホールドの改質器変形抑制部材の他端部側が位置する近傍にストッパー部材が設けられていることを示す斜視図である。
【図４】従来の燃料電池を示す斜視図である。
【符号の説明】
【００６７】
１、１１、１３、２１：燃料電池セルスタック装置
２：燃料電池セル
３：マニホールド
４：燃料電池セルスタック
５：改質器
６：燃料供給管
７：折り返し部
８：改質器変形抑制部材
９：当接部
１０：電流引き出し部
１１：インターコネクタ
１２：突出部
１４：ストッパー部材
【図１】
2009087540.tif 000003
【図２】
2009087540.tif 000004
【図３】
2009087540.tif 000005
【図４】
2009087540.tif 000006